(57)【要約】【課題】  組立てが容易であると共に、出窓本体と屋根の組合わせを可能にした出窓を提供する。【解決手段】  建物の躯体２に取付けられる出窓本体３と、この出窓本体３の上部に配置される屋根４とを別体で形成し、出窓本体３は、建物の躯体２に取付けられる左右の縦枠６と、左右の方立７と、これら縦枠６と方立７間に架設される側面上枠８及び側面下枠９と、左右の方立７間に架設される正面上枠１０及び正面下枠１１とを備え、屋根４は、出窓本体３の正面上枠１０上に接続される正面上枠２５と、建物の躯体２に取付けられる壁付上枠２６と、これら正面上枠２５と壁付上枠２６の端部間に架設される側面上枠２７と、屋根４の側面に側面止水板２８を介して設けられる側部カバー部材２９と、正面上枠２５、壁付上枠２６及び側面上枠２７で区画される領域に設けられる採光部５とを備えている。【選択図】          図１
2005248640.tif 000002
【特許請求の範囲】
【請求項１】
建物の躯体に取付けられる出窓本体と、この出窓本体の上部に配置される屋根とを別体で形成し、出窓本体は、建物の躯体に取付けられる左右の縦枠と、左右の方立と、これら縦枠と方立間に架設される側面上枠及び側面下枠と、左右の方立間に架設される正面上枠及び正面下枠とを備え、屋根は、出窓本体の正面上枠上に接続される正面上枠と、建物の躯体に取付けられる壁付上枠と、これら正面上枠と壁付上枠の端部間に架設される側面上枠と、屋根の側面に側面止水板を介して設けられる側部カバー部材と、正面上枠、壁付上枠及び側面上枠で区画される領域に設けられる採光部とを備えたことを特徴とする出窓。
【発明の詳細な説明】
【技術分野】
【０００１】
本発明は、出窓に係り、特に出窓本体と、採光部を有する屋根とを別体構造とした出窓に関する。
【背景技術】
【０００２】
出窓としては、屋根に採光部を備えた出窓（トップライト出窓ともいう）が知られている（例えば実公平７−３２８２８号公報参照）。この出窓は、図１１に概略的に示すように、建物の躯体に取付けられる左右の縦枠ａと、この縦枠ａよりも長さの短い左右の方立ｂと、縦枠ａと方立ｂの上端部間に傾斜して架設される側面上枠ｃと、縦枠ａと方立ｂの下端部間に架設される側面下枠ｄとからなる左右一対の袖部ｅを備え、左右の袖部ｅ間に壁付上枠ｆ、正面上枠ｇ及び正面下枠ｈを架設して枠（骨組み）が構成されている。そして、屋根を構成する正面上枠ｇ、壁付上枠ｆ及び側面上枠ｃで区画される領域に採光部ｉが設けられる。このように屋根に採光部ｉを備えた従来の出窓においては、出窓本体と屋根が一体構造とされている。
【０００３】
【特許文献１】実公平７−３２８２８号公報
【発明の開示】
【発明が解決しようとする課題】
【０００４】
しかしながら、前記出窓においては、出窓本体と屋根とが一体構造であるため、出窓本体と屋根を別々に組立てることができず、また、屋根の組立てが高所作業となるなど、組立性が悪く、組立てに手間がかかるという問題がある。特に、袖部と正面上枠の接合には、方立の中空形材内部でジョイント板（楔部品）を用いて迅速に接合することが困難であるため、手間のかかるねじ止め作業を余儀なくされると共に、外部に露出したねじ穴をプッシュ釦で塞ぐ必要があった。また、出窓本体と屋根とが一体構造であるため、出窓本体と屋根を任意に組合わせることができず、バリエーションをもたせることが困難であった。
【０００５】
本発明は、上記事情を考慮してなされたものであり、組立てが容易であると共に、出窓本体と屋根の組合わせが可能な出窓を提供することを目的とする。
【課題を解決するための手段】
【０００６】
本発明は、建物の躯体に取付けられる出窓本体と、この出窓本体の上部に配置される屋根とを別体で形成し、出窓本体は、建物の躯体に取付けられる左右の縦枠と、左右の方立と、これら縦枠と方立間に架設される側部上枠及び側部下枠と、左右の方立間に架設される正面上枠及び正面下枠とを備え、屋根は、出窓本体の正面上枠上に接続される正面上枠と、建物の躯体に取付けられる壁付上枠と、これら正面上枠と壁付上枠の端部間に架設される側面上枠と、屋根の側面に側面止水板を介して設けられる側部カバー部材と、正面上枠、壁付上枠及び側面上枠で区画される領域に設けられる採光部とを備えたことを特徴とする。
【発明の効果】
【０００７】
本発明によれば、建物の躯体に取付けられる出窓本体と、この出窓本体の上部に配置される屋根とを別体で形成し、出窓本体は、建物の躯体に取付けられる左右の縦枠と、左右の方立と、これら縦枠と方立間に架設される側部上枠及び側部下枠と、左右の方立間に架設される正面上枠及び正面下枠とを備え、屋根は、出窓本体の正面上枠上に接続される正面上枠と、建物の躯体に取付けられる壁付上枠と、これら正面上枠と壁付上枠の端部間に架設される側面上枠と、屋根の側面に側面止水板を介して設けられる側部カバー部材と、正面上枠、壁付上枠及び側面上枠で区画される領域に設けられる採光部とを備えているため、出窓本体と屋根を別々に迅速容易に組立てることができる。
【発明を実施するための最良の形態】
【０００８】
以下に、本発明を実施するための最良の形態について、添付図面を基に詳述する。図１は本発明の実施の形態である出窓の一例を示す縦断面図、図２は同横断面図、図３は図１のＡ−Ａ線断面図、図４は屋根の骨組構造を示す分解斜視図、図５は屋根の側部の構造を示す分解斜視図、図６は屋根に浸入した水の排水構造を示す部分的断面斜視図である。
【０００９】
これらの図において、１は例えば台所や浴室等に好適な、屋根４に採光部（採光窓部ともいう）５を備えた出窓（トップライト出窓）で、この出窓１は、図１０にも示すように建物の躯体２に取付けられる出窓本体３と、この出窓本体３の上部に配置される屋根４とを別体で形成して構成されている。すなわち、出窓１は、出窓本体３と屋根４に分割されている。出窓本体３は、左右の縦枠６と、左右の方立７と、これら縦枠６と方立７間に架設された（掛け渡されて設けられた）側面上枠８及び側面下枠９と、左右の方立７間に架設された正面上枠１０及び正面下枠１１とを備えて構成されている。縦枠６、方立７、側面上枠８、側面下枠９は、金属製（例えばアルミ製）形材ｖの室内露出面に樹脂製形材ｗを接合した複合断熱構造とされている。正面上枠１０及び正面下枠１１は、金属製の室外形材ｘと金属製の室内形材ｙとを樹脂製の断熱ブリッジ材ｚを介して結合した断熱構造とされている。
【００１０】
左右の縦枠６の下端部間には躯体２の窓台２ａの室外面に当接される窓台当接部材（水切り材ともいう）１２が架設され、この窓台当接部材１２には出窓本体３の下部（下枠部分）を補強する補強ブラケット（下枠補強ブラケットともいう）１３が接合されている。補強ブラケット１３の先端部は正面下枠１１に固着具例えばねじ１４で接続され、補強ブラケット１３の窓台当接部材１２から室内側に突出した基端部１３ａは窓台２ａ上に固着具例えばねじ１５で固定されている。出窓本体３の正面部の開口には引違い障子１６ａ，１６ｂを有する引違い窓１７が設けられ、出窓本体３の側面部（袖部）の開口にはガラスパネル１８を室内側から押縁１９を介して嵌め込んだ嵌め殺し窓２０が設けられている。本実施例の押縁１９は樹脂製である。
【００１１】
前記引違い障子１６ａ，１６ｂは、框材を金属製形材の室内露出面に樹脂形材を接合した複合断熱構造とする共に、ガラスパネルとして断熱性を有する複層ガラスを用いている。嵌め殺し窓２０も、ガラスパネル１８として複層パネルを用いている。出窓本体３の下枠部分の上面には室内側からテーブル板２１が取付けられ、下枠部分の下面には底板２２が取付けられ、これらテーブル板２０と底板２２との間には断熱材２３が設けられている。
【００１２】
前記屋根４は、出窓本体の正面上枠１０上に例えばねじ２４で接続される正面上枠２５と、躯体２のまぐさ近傍の壁部２ｃに取付けられる壁付上枠２６と、これら正面上枠２５と壁付上枠２６の端部間に架設される側面上枠２７と、屋根４の側面に側面止水板２８を介して設けられる側部カバー部材２９と、正面上枠２５、壁付上枠２６及び側面上枠２７で区画される領域（開口）に設けられた採光部５とを備えている。前記正面上枠２５は金属製室外形材ｘと金属製室内形材ｙとを樹脂製のブリッジ材ｚを介して接合した断熱構造とされている。壁付上枠２６は金属製形材ｖの室内露出面（下面）に樹脂製形材ｗを接合した複合断熱構造とされている。
【００１３】
屋根４は、幅寸法によって正面上枠２５と壁付上枠２６との間に中骨３１が架設される。幅寸法の小さい屋根には中骨が設けられていなくてもよい。壁付上枠２６は正面上枠２５よりも上方に配置され、これら正面上枠２５と壁付上枠２６との間に側面上枠２７と中骨３１が傾斜した状態で架設される。屋根４は、図４に示すように正面上枠２５に対して壁付上枠２６を側面上枠２７と中骨３１を介して通しボルト３２で連結することにより枠（骨組み）が組立てられる。図１中、３３は通しボルト３２を捩じ込むための側面上枠用裏板、３４は中骨用裏板である。３５は縦枠６の樹脂形材ｗの上端部を係合させて左右の縦枠６の上端部間の開口幅を狭くならないように規制するための縦枠上部規制部材（縦枠上部引寄せピースともいう）で、壁付上枠２６の下面両端箇所にねじ３６で取付けられる。前記縦枠６の金属形材ｖの上端部は、図１０にも示すように側面上枠８と略同じ高さで切断されているが、縦枠６の樹脂形材ｗの上端部は、図１にも示すように壁付上枠２６の下面（樹脂形材の下面）に当接する高さまで延長して切断されている。この縦枠６の樹脂形材ｗの延長部分により、その裏側部分が露出しないように覆い隠して意匠性の向上が図られている。
【００１４】
前記側面止水板２８は、金属製であり、図５ないし図１０に示すように正面上枠２５、壁付上枠２６及び側面上枠２７からなる屋根４の枠の端面を覆う形状に形成され、屋根４の枠の端面にねじ３６等で取付けられている。側面止水板２８には枠の形材との当接面にシール材が貼付されている。側面止水板２８は、壁付上枠２６及び正面上枠２５の両端の水走りを堰き止める役目及び防火要件（側部カバー部材２９が溶けても穴が開かない）を満足する役目を有している。前記側部カバー部材２９は、高耐候性ＡＢＳ樹脂からなり、屋根４の端部の上面縁部及び正面縁部を覆うと共に前記側面止水板２８を覆うように形成されている。このように構成された屋根４の枠は予め製造工場で組立てられて出荷され、販売店ないし現場で採光部５の組付けが行われる。
【００１５】
採光部５は、屋根４の壁付上枠２６、正面上枠２５及び側面上枠２７並びに中骨３１により区画された前記領域（開口）の周縁部（開口周縁部）に形成された溝３７と、この溝３７に嵌め込まれる採光パネル３８と、この採光パネル３８と溝３７の隙間に挿入される乾式シール材である軟質樹脂製のビード３９とを備えている。採光パネル３８は、図示例では断熱性を有する複層ガラスからなっている。採光パネル３８は、壁付上枠２６及び正面上枠２５の対向部に形成された溝３７に屋根の上方からけんどん式に建て込まれ、押縁４０により両端部が押え込まれるようになっている。押縁４０は側面上枠２７及び中骨３１に対してそれぞれ係合により着脱可能に取付けられるようになっている。
【００１６】
壁付上枠２６、正面上枠２５及び側面上枠２７並びに中骨３１には採光パネル３８の下面周縁部を受ける下縁部２６ａ，２５ａ，２７ａ，３１ａが設けられ、各下縁部には採光パネル３８との間をシールする気密材４２が取付溝４３を介して取付けられている。壁付上枠２６及び正面上枠２５の上縁部並びに押縁４０と採光パネル３８の上面周縁部との間の隙間にビード３９が挿入されて設けられる。なお、壁付上枠２６の上縁部及び押縁４０には、ビード３９のシール性をバックアップするための乾式シール材４４が設けられていることが好ましい。
【００１７】
また、図６にも示すように壁付上枠２６の下縁部２６ａ、側面上枠２７の下縁部２７ａ、正面上枠２５の下縁部２５ａがそれぞれ順に下に重なっており、水が下に落ちていく過程で常に下面に受けがある構造とされ、止水性の向上が図られている。また、それぞれの重なり面には下面への水漏れを防止するためのシール材４５が貼付されていることが好ましい。屋根４の内部に侵入した雨水等の水は点線で示す排水経路を辿って外部に排水されるようになっている。なお、図６において、４６は正面上枠２５内の隔壁２５ｂに設けられた水抜き孔、４７は正面上枠２５の正面部に設けられた排水弁である。
【００１８】
前記側面上枠２７及び中骨３１には、採光パネル３８が外部から不正に取外されるのを防止して防犯性の向上を図るために、採光パネル３８の両端部を係止する係止部材４８が設けられている。この係止部材４８は、剛性を有する金属板により形成され、一端（上端）には採光パネル３８の上縁部を係止する断面Ｌ字状に係止部４８ａを有し、他端には側面上枠２７又は中骨３１の下縁部２７ａ，３１ａの上面に当接されて下方から固着であるねじ４９により着脱可能に固定される断面Ｌ字状の固定部４８ｂを有している。また、係止部材４８の幅は３０ｍｍ程度であり、その両側部には係止部材４８をバール等でこじ開けられる（背面側へ押し曲げられる）のを防止する突っ支い部４８ｃが背面側に突出して形成されている。
【００１９】
前記側面上枠２７は金属製形材からなり、その室内露出面及び側面止水板２８を室内側から覆い隠すために樹脂製の幕板５０が側面止水板２８に対してねじ５１で取付けられ、断熱性の向上が図られている。側面上枠２７に係止部材４８を取付けるねじ４９は幕板５０によって覆い隠され、意匠性の向上が図られている。前記中骨３１は金属製形材ｖからなり、その室内露出面には樹脂形材ｗが装着されて断熱性の向上が図られている。中骨３１に係止部材４８を取付けるねじ４９は樹脂形材ｗによって覆い隠され、意匠性の向上が図られている。
【００２０】
以上のように構成された出窓（トップライト出窓）１は、例えば販売店で出窓本体３と屋根４が組付けられて現場に搬入され、建物の躯体２に取付けられる。屋根４は、出窓本体３の上部に載置された状態で組み付けられる。この場合、出窓本体３の正面上枠１０の上部に屋根４の正面上枠２５が載置されて下方からねじ２４で接続される。また、屋根４の側面部を構成する側面止水板２８、側部カバー部材２９及び幕板５０が出窓本体３の側面上枠８の上部に載置され、縦枠６の樹脂形材６ｗの上端部に屋根４の壁付上枠２６の下面が縦枠上部規制部材３５を介して載置される。屋根４の正面上枠２５及び側部カバー部材２９には、出窓本体３の正面上枠１０及び側面上枠８の外周縁部に係合する係合部２５ｃ、２９ｃを有し、これにより屋根４が位置決めされていると共に、左右の縦枠６の上端部間の開口幅が広がらないように規制されている。
【００２１】
出窓１は、出窓本体３の下枠補強ブラケット１３を躯体２の窓台２ａにねじ１５等で固定し、縦枠６を躯体２の間柱２ｂにねじ５２等で固定し、屋根の壁付上枠を躯体２のまぐさ近傍の壁部２ｃに釘５３等で固定することにより建物の躯体２に取付けられる。そして、出窓１にはテーブル板２１が取付けられ、躯体２の開口５４には額縁５５が取付けられる。この出窓（トップライトで窓）１は、通常の出窓と異なり、屋根に天板及び天板見切り縁を具備せず、壁付上枠２６を開口５４の上部に配置することにより、採光性の向上が図られている。
【００２２】
出窓１は、出窓本体３と屋根４が分割されて独立していることから、出窓本体３の枠と障子１６ａ，１６ｂの框とガラスないしガラスパネル１８の組合わせ及び屋根４の枠と採光パネル３８の組合わせにより、高断熱、中断熱、低断熱という具合に断熱性能を段階的に設定でき、断熱性能に応じて出窓本体３と屋根４の任意の組合わせが可能であり、また、非断熱の組合わせも可能であり、また、採光部（例えば嵌め殺し窓、開き窓、引違い窓、ガラスルーバー窓等）５の異なる複数種類の屋根４を用意したり、或いは屋根形状の異なる複数種類の屋根４を用意することにより、好みの屋根４を選択して出窓本体３と任意に組合わせることが可能になっている。
【００２３】
図７は本発明の実施の形態である出窓の他の例を示す縦断面図、図８は同横断面図、図９は図７のＢ−Ｂ線断面図である。本実施例の出窓において、前記実施例の出窓と同一部分は同一参照符号を付して説明を省略し、異なる部分について説明を加える。本実施例の出窓においては、出窓本体３の縦枠６、正面下枠１１及び側面下枠９を除く枠及び障子１６ａ，１６ｂの框が金属製形材のみからなる非断熱構造になっていると共に、障子のガラスパネル及び嵌め殺し窓のガラスパネル１８が単層ガラスからなっている。屋根４の正面上枠２５が金属製形材のみからなる非断熱構造になっていると共に、採光パネル３８が単層ガラスからなっている。なお、本実施例では、採光パネル３８の厚さが薄いため、溝３７の下縁部の取付溝４３にはスぺーサ５６を介して気密材４２が取付けられている。
【００２４】
以上の構成からなる出窓によれば、建物の躯体２に取付けられる出窓本体３と、この出窓本体３の上部に配置される屋根４とを別体で形成し、出窓本体３は、建物の躯体２に取付けられる左右の縦枠６と、左右の方立７と、これら縦枠６と方立７間に架設される側部上枠８及び側面下枠９と、左右の方立７間に架設される正面上枠１０及び正面下枠１１とを備え、屋根４は、出窓本体３の正面上枠１０上に接続される正面上枠２５と、建物の躯体２に取付けられる壁付上枠２６と、これら正面上枠２５と壁付上枠２６の端部間に架設される側面上枠２７と、屋根４の側面に側面止水板２８を介して設けられる側部カバー部材２９と、正面上枠２５、壁付上枠２６及び側面上枠２７で区画される領域に設けられる採光部５とを備えているため、出窓本体３と屋根４を別々に迅速容易に組立てることができると共に、出窓本体３と屋根４の組合わせが可能でバリエーションをもたせることができる。特に、出窓本体３においては、縦枠６、方立７、側面上枠８及び側面下枠９からなる袖部と正面上枠１０の接合が、袖部と正面下枠１１の接合と同様に、方立７の中空形材内部でジョイント板（楔部品）を用いて迅速に接合することができる。
【００２５】
また、前記採光部５は、開口の周縁部に形成した溝３７に採光パネル３８を嵌め込み、採光パネル３８と溝３７の隙間にビード３９を挿入してなるため、湿式のシーリング構造と異なり、手間及び熟練を要せずに、屋根４に採光部５を迅速且つ容易に組み付けて仕上げることができ、組立性及びメンテナンス性の向上が図れる。更に、側面上枠２７及び中骨３１には、採光パネル３８の両端部を係止する係止部材４８が設けられ、この係止部材４８は、一端に採光パネル３８の上縁部を係止する係止部４８ａを有し、他端に側面上枠２７又は中骨３１の下縁部に当接されて下方から固着具例えばねじ４９で固定される固定部４８ｂを有しているため、採光パネル３８が外部から不正に取外されるのを防止でき、防犯性の向上を図れる。この場合、係止部材４８には背面側に突出した突っ支い部４８ｃが形成されているため、係止部材４８をバール等を用いてこじ開けることが難しく、防犯性の更なる向上が図れる。
【００２６】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００２７】
【図１】本発明の実施の形態である出窓の一例を示す縦断面図である。
【図２】同横断面図である。
【図３】図１のＡ−Ａ線断面図である。
【図４】屋根の骨組構造を示す分解斜視図である。
【図５】屋根の側部の構造を示す分解斜視図である。
【図６】屋根に浸入した水の排水構造を示す部分的断面斜視図である。
【図７】本発明の実施の形態である出窓の他の例を示す縦断面図である。
【図８】同横断面図である。
【図９】図７のＢ−Ｂ線断面図である。
【図１０】本実施の形態の出窓の構成を概略的に示す斜視図である。
【図１１】従来の出窓の構成を概略的に示す斜視図である。
【符号の説明】
【００２８】
１  出窓
２  躯体
３  出窓本体
４  屋根
５  採光部
６  縦枠
７  方立
８  側面上枠
９  側面下枠
１０  正面上枠
１１  正面下枠
２５  正面上枠
２６  壁付上枠
２７  側面上枠
２８  側面止水板
２９  側部カバー部材
【図１】
2005248640.tif 000003
【図２】
2005248640.tif 000004
【図３】
2005248640.tif 000005
【図４】
2005248640.tif 000006
【図５】
2005248640.tif 000007
【図６】
2005248640.tif 000008
【図７】
2005248640.tif 000009
【図８】
2005248640.tif 000010
【図９】
2005248640.tif 000011
【図１０】
2005248640.tif 000012
【図１１】
2005248640.tif 000013